【手続補正書】
【提出日】平成29年5月10日(2017.5.10)
【手続補正１】
【補正対象書類名】特許請求の範囲
【補正対象項目名】全文
【補正方法】変更
【補正の内容】
【特許請求の範囲】
【請求項１】
深さビューデータを復号する方法であって、
前記方法は、
前記深さビューデータのピクチャのスライスの各々のコーディングユニット（ＣＵ）の現在の予測ユニット（ＰＵ）に関して、
２つ以上の隣接するサンプルの２つ以上の再構築された深さサンプルの２つ以上の深さ値に少なくとも部分的に基づいて、少なくとも１つの不一致値を決定することと、ここにおいて、前記２つ以上の隣接するサンプルは、前記現在のＰＵの外部にあり、前記現在のＰＵに隣接し、２つ以上の異なるＰＵ内に配置され、
前記少なくとも１つの不一致値に少なくとも部分的に基づいて、少なくとも１つの不一致ベクトルを決定することと、ここにおいて、前記少なくとも１つの不一致ベクトルは前記各々のＣＵに関し、
前記少なくとも１つの不一致ベクトルに少なくとも部分的に基づいて、前記各々のＣＵに関するコーディングブロックを再構築することと、
を備える、方法。
【請求項２】
前記少なくとも１つの不一致ベクトルを決定することは、２つ以上の隣接する深さサンプルに少なくとも部分的に基づいて、１つの不一致ベクトルを決定することを備え、前記方法は、
前記１つの不一致ベクトルを決定するために、前記２つ以上の隣接する深さサンプルのうちの１つを選択するために、前記２つ以上の隣接する深さサンプルの前記値に数学関数を適用することに基づいて、前記２つ以上の隣接する深さサンプルから１つの深さサンプルを選択すること、前記数学関数は、メジアン、最大および平均のうちの１つを取得することを備え、
をさらに備える、請求項１に記載の方法。
【請求項３】
前記少なくとも１つの不一致ベクトルを決定することは、２つ以上の隣接する深さサンプルに少なくとも部分的に基づいて、２つ以上の不一致ベクトルを決定することを備え、
前記方法は、前記２つ以上の隣接する深さサンプルに基づいて、２つ以上の不一致値を前記２つ以上の不一致ベクトルに変換すること、をさらに備える、請求項１に記載の方法。
【請求項４】
インタービュー参照ピクチャの表示を使用して、前記少なくとも１つの不一致ベクトルを少なくとも１つの不一致動きベクトルに変換すること、
をさらに備える、請求項１に記載の方法。
【請求項５】
前記少なくとも１つの不一致値を決定することは、前記現在のＰＵの外部の２つ以上の隣接するサンプルに少なくとも部分的に基づいて、２つ以上の不一致値を決定することをさらに備え、ここにおいて、前記少なくとも１つの不一致値に少なくとも部分的に基づいて前記少なくとも１つの不一致ベクトルを決定することは、前記２つ以上の不一致値に少なくとも部分的に基づいて２つ以上の不一致ベクトルを決定することをさらに備え、前記現在のＰＵの左上のサンプルは座標（ｘ，ｙ）を有し、前記２つ以上の再構築された深さサンプルは、
前記現在のＰＵの左上に隣接するサンプルと、
前記現在のＰＵの上部に隣接する行と、
前記現在のＰＵの左側に隣接する列と、
座標（ｘ−１，ｙ＋１）を有するサンプルと、
座標（ｘ＋１，ｙ−１）を有するサンプルと、
前記ＰＵのサイズがＷ×Ｈによって表される場合は、座標（ｘ−１，ｙ＋Ｈ−１）を有するサンプルと座標（ｘ＋Ｗ−１，ｙ−１）を有するサンプルと、
のうちの少なくとも２つ以上からのものである、請求項１に記載の方法。
【請求項６】
前記少なくとも１つの不一致値を決定することは、前記各々のＣＵの外部の２つ以上の隣接するサンプルに少なくとも部分的に基づいて、２つ以上の不一致値を決定することをさらに備え、ここにおいて、前記各々のＣＵの左上のサンプルは前記座標（ｘ，ｙ）を有し、前記２つ以上の再構築された深さサンプルは、
前記各々のＣＵの左上に隣接するサンプルと、
前記各々のＣＵの上部に隣接する行と、
前記各々のＣＵの左側に隣接する列と、
座標（ｘ−１，ｙ＋１）を有するサンプルと、
座標（ｘ＋１，ｙ−１）を有するサンプルと、
前記各々のＣＵのサイズが２Ｎ×２Ｎによって表される場合は、座標（ｘ−１，ｙ＋２Ｎ−１）を有するサンプルと座標（ｘ＋２Ｎ−１，ｙ−１）を有するサンプルと、
のうちの少なくとも２つ以上からのものである、請求項５に記載の方法。
【請求項７】
前記２つ以上の隣接するサンプルは、前記現在のＰＵの最大コーディングユニット（ＬＵＣ）の隣接するサンプルである、請求項５に記載の方法。
【請求項８】
前記２つ以上の隣接するサンプルは、前記各々のＣＵの外部の隣接するサンプルである、請求項１に記載の方法。
【請求項９】
前記再構築された深さサンプルのうちの少なくとも１つは、
前記現在のＰＵの左上に隣接するサンプルと、
前記現在のＰＵの上部に隣接する行と、
前記現在のＰＵの左側に隣接する列と、
のうちの１つからのものである、請求項１に記載の方法。
【請求項１０】
前記少なくとも１つの不一致ベクトルを決定することは、任意の使用可能な不一致ベクトルを識別できなかった実行された隣接ベースの不一致ベクトルの誘導（ＮＢＤＶ）プロセスに応答する、請求項１に記載の方法。
【請求項１１】
前記少なくとも１つの不一致ベクトルに基づいて参照ブロックを識別することと、
動きベクトルと前記識別された参照ブロックの参照インデックスに少なくとも部分的に基づいて前記現在のＰＵの現在の動きを予測することと、
前記動きベクトルと参照インデックスに少なくとも部分的に基づいて決定された候補を、統合されたまたは高度な動きベクトル予測（ＡＭＶＰ）候補リストに挿入することと、
をさらに備える、請求項１に記載の方法。
【請求項１２】
深さビューデータを符号化する方法であって、
前記方法は、
前記ビデオデータのピクチャのスライスの各々のコーディングユニット（ＣＵ）の現在の予測ユニット（ＰＵ）に関して、
２つ以上の隣接するサンプルの２つ以上の再構築された深さサンプルの２つ以上の深さ値に少なくとも部分的に基づいて、少なくとも１つの不一致値を決定することと、ここにおいて、前記２つ以上の隣接するサンプルは、前記現在のＰＵの外部にあり、前記現在のＰＵに隣接し、２つ以上の異なるＰＵ内に配置され、
前記少なくとも１つの不一致値に少なくとも部分的に基づいて、少なくとも１つの不一致ベクトルを決定することと、ここにおいて、前記少なくとも１つの不一致ベクトルは前記各々のＣＵに関し、
前記少なくとも１つの不一致ベクトルに少なくとも部分的に基づいて、前記各々のＣＵに関するコーディングブロックの符号化された描写を生成することと、
を備える、方法。
【請求項１３】
深さビューデータのピクチャと関連付けられるデータを記憶するように構成されたメモリと、
前記メモリと通信を行いおよび
深さビューデータの前記ピクチャのスライスの各々のコーディングユニット（ＣＵ）の現在の予測ユニット（ＰＵ）に関して、
２つ以上の隣接するサンプルの２つ以上の再構築された深さサンプルの２つ以上の深さ値に少なくとも部分的に基づいて、少なくとも１つの不一致値を決定することと、ここにおいて、前記２つ以上の隣接するサンプルは、前記現在のＰＵの外部にあり、前記現在のＰＵに隣接し、２つ以上の異なるＰＵ内に配置され、
前記少なくとも１つの不一致値に少なくとも部分的に基づいて、少なくとも１つの不一致ベクトルを決定することと、ここにおいて、前記少なくとも１つの不一致ベクトルは前記各々のＣＵに関し、
前記少なくとも１つの不一致ベクトルに少なくとも部分的に基づいて、前記各々のＣＵに関するコーディングブロックを再構築することと、
を行うように構成された１つまたは複数のプロセッサと、
を備える、ビデオデータを復号するためのデバイス。
【請求項１４】
深さビューデータのピクチャと関連付けられるデータを記憶するように構成されたメモリと、
前記メモリと通信を行いおよび
深さビューデータの前記ピクチャのスライスの各々のコーディングユニット（ＣＵ）の現在の予測ユニット（ＰＵ）に関して、
２つ以上の隣接するサンプルの２つ以上の再構築された深さサンプルの２つ以上の深さ値に少なくとも部分的に基づいて、少なくとも１つの不一致値を決定することと、ここにおいて、前記２つ以上の隣接するサンプルは、前記現在のＰＵの外部にあり、前記現在のＰＵに隣接し、２つ以上の異なるＰＵ内に配置され、
前記少なくとも１つの不一致値に少なくとも部分的に基づいて、少なくとも１つの不一致ベクトルを決定することと、ここにおいて、前記少なくとも１つの不一致ベクトルは前記各々のＣＵに関し、
前記少なくとも１つの不一致ベクトルに少なくとも部分的に基づいて、前記各々のＣＵに関するコーディングブロックの符号化された描写を生成することと、
を行うように構成された１つまたは複数のプロセッサと、
を備える、ビデオデータを符号化するためのデバイス。
【請求項１５】
実行されると、請求項１乃至１２のいずれか一項に従う方法を実行するようにデバイスを構成する命令を記憶した、コンピュータ可読記憶媒体。